(57)【特許請求の範囲】
【請求項１】
コンテンツ送信装置と、前記コンテンツ送信装置から送信される映像データに基づいて映像を表示するディスプレイ装置とを備え、
前記コンテンツ送信装置が、
映像データを含む第１種別のコンテンツ、又は、映像データを含まない第２種別のコンテンツを処理するコンテンツ処理手段と、
前記コンテンツ処理手段が処理するコンテンツが前記第１種別のコンテンツである場合に、前記第１種別のコンテンツに含まれる映像データを前記ディスプレイ装置に送信するコンテンツ送信手段と、
前記コンテンツ処理手段が処理するコンテンツが前記第１種別のコンテンツであるか、又は、前記第２種別のコンテンツであるかを判断する種別判断手段と、
前記ディスプレイ装置から送信される選択通知信号、又はホットプラグ信号に基づき、前記コンテンツ送信装置の接続されている接続手段が選択されているか否かを判断する選択判断手段と、
前記選択判断手段によって前記ディスプレイ装置が前記コンテンツ送信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しないコマンド送信手段とを有し、
前記ディスプレイ装置が、
前記コンテンツ送信手段から受信した映像データに基づいて映像を表示する表示手段と、
前記コマンド送信手段から前記電源オフコマンド又は前記電源オンコマンドを受信するコマンド受信手段と、
前記コマンド受信手段が前記電源オフコマンドを受信した場合にスタンバイ状態に移行し、前記コマンド受信手段が前記電源オンコマンドを受信した場合に電源オン状態に移行する電源制御手段と、
前記コンテンツ送信装置を含む複数の機器が接続される複数の接続手段と、
前記複数の接続手段の中から、前記表示手段が表示する映像データが入力される接続手段を選択する選択手段とを有する、映像表示システム。
【請求項２】
コンテンツ再生装置と、コンテンツ送受信装置と、前記コンテンツ送受信装置から送信される映像データに基づいて映像を表示するディスプレイ装置とを備え、
前記コンテンツ再生装置が、
映像データを含む第１種別のコンテンツ、又は、映像データを含まない第２種別のコンテンツを再生するコンテンツ再生手段と、
前記コンテンツ再生手段によって再生されたコンテンツを前記コンテンツ送受信装置に送信する第１コンテンツ送信手段と、
前記コンテンツ再生手段によって再生されるコンテンツが前記第１種別のコンテンツであるか、又は、前記第２種別のコンテンツであるかを示す種別通知コマンドを前記コンテンツ送受信装置に送信する第１コマンド送信手段とを有し、
前記コンテンツ送受信装置が、
前記第１コンテンツ送信手段から送信されたコンテンツを受信する第１コンテンツ受信手段と、
前記第１コマンド送信手段から送信された前記種別通知コマンドを受信する第１コマンド受信手段と、
前記第１コンテンツ受信手段が受信する前記第１種別のコンテンツに含まれる映像データを前記ディスプレイ装置に送信する第２コンテンツ送信手段と、
前記第１コマンド受信手段が受信した種別通知コマンドの通知内容が前記第１種別のコンテンツであることを示すか、又は、前記第２種別のコンテンツであることを示すかを判断する種別判断手段と、
前記ディスプレイ装置から送信される選択通知信号、又はホットプラグ信号に基づき、前記コンテンツ送受信装置の接続されている接続手段が選択されているか否かを判断する選択判断手段と、
前記選択判断手段によって前記ディスプレイ装置が前記コンテンツ送受信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送受信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送受信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しない第２コマンド送信手段とを有し、
前記ディスプレイ装置が、
前記第２コンテンツ送信手段から受信した映像データに基づいて映像を表示する表示手段と、
前記第２コマンド送信手段から前記電源オフコマンド又は前記電源オンコマンドを受信する第２コマンド受信手段と、
前記第２コマンド受信手段が前記電源オフコマンドを受信した場合にスタンバイ状態に移行し、前記第２コマンド受信手段が前記電源オンコマンドを受信した場合に電源オン状態に移行する電源制御手段と、
前記コンテンツ送受信装置を含む複数の機器が接続される複数の接続手段と、
前記複数の接続手段の中から、前記表示手段が表示する映像データが入力される接続手段を選択する選択手段とを有する、映像表示システム。
【請求項３】
前記第１コマンド送信手段が、前記コンテンツ再生手段によって再生されるコンテンツの種別が前記第１種別と前記第２種別との間で変更になったときに前記種別通知コマンドを前記コンテンツ送受信装置に送信する、請求項２に記載の映像表示システム。
【請求項４】
前記ディスプレイ装置が、前記選択手段が選択する接続手段に接続されている機器に対して第１レベルのホットプラグ信号を出力し、前記選択手段が選択していない接続手段に接続されている機器に対して第２レベルのホットプラグ信号を出力するホットプラグ信号出力手段をさらに有し、
前記選択判断手段が、前記ホットプラグ信号出力手段から出力されるホットプラグ信号が前記第１レベルであるか、又は、前記第２レベルであるかを判断することによって、前記選択手段によって自身の接続されている接続手段が選択されているか否かを判断する、請求項１〜３のいずれかに記載の映像表示システム。
【請求項５】
請求項１に記載の映像表示システムに適用されるコンテンツ送信装置であって、
映像データを含む第１種別のコンテンツ、又は、映像データを含まない第２種別のコンテンツを処理するコンテンツ処理手段と、
前記コンテンツ処理手段が処理するコンテンツが前記第１種別のコンテンツである場合に、前記第１種別のコンテンツに含まれる映像データを前記ディスプレイ装置に送信するコンテンツ送信手段と、
前記コンテンツ処理手段が処理するコンテンツが前記第１種別のコンテンツであるか、又は、前記第２種別のコンテンツであるかを判断する種別判断手段と、
前記ディスプレイ装置から送信される選択通知信号、又はホットプラグ信号に基づき、前記コンテンツ送信装置の接続されている接続手段が選択されているか否かを判断する選択判断手段と、
前記選択判断手段によって前記ディスプレイ装置が前記コンテンツ送信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しないコマンド送信手段とを備える、コンテンツ送信装置。
【請求項６】
請求項２に記載の映像表示システムに適用されるコンテンツ送受信装置であって、
前記第１コンテンツ送信手段から送信されたコンテンツを受信する第１コンテンツ受信手段と、
前記第１コマンド送信手段から送信された前記種別通知コマンドを受信する第１コマンド受信手段と、
前記第１コンテンツ受信手段が受信する前記第１種別のコンテンツに含まれる映像データを前記ディスプレイ装置に送信する第２コンテンツ送信手段と、
前記第１コマンド受信手段が受信した種別通知コマンドの通知内容が前記第１種別のコンテンツであることを示すか、又は、前記第２種別のコンテンツであることを示すかを判断する種別判断手段と、
前記ディスプレイ装置から送信される選択通知信号、又はホットプラグ信号に基づき、前記コンテンツ送受信装置の接続されている接続手段が選択されているか否かを判断する選択判断手段と、
前記選択判断手段によって前記ディスプレイ装置が前記コンテンツ送受信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送受信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しない第２コマンド送信手段とを備える、コンテンツ送受信装置。
【請求項７】
請求項２に記載の映像表示システムに適用されるコンテンツ再生装置であって、
映像データを含む第１種別のコンテンツ、又は、映像データを含まない第２種別のコンテンツを再生するコンテンツ再生手段と、
前記コンテンツ再生手段によって再生されたコンテンツを前記コンテンツ送受信装置に送信する第１コンテンツ送信手段と、
前記コンテンツ再生手段によって再生されるコンテンツが前記第１種別のコンテンツであるか、又は、前記第２種別のコンテンツであるかを示す種別通知コマンドを前記コンテンツ送受信装置に送信する第１コマンド送信手段とを備える、コンテンツ再生装置。
【発明の詳細な説明】
【技術分野】
【０００１】
本発明は、コンテンツ送信装置と、コンテンツ送信装置から送信される映像データに基づいて映像を表示する映像表示システムに関する。
【背景技術】
【０００２】
ＨＤＭＩ規格に準拠したソース機器であるＤＶＤプレーヤと、リピーター機器であるＡＶアンプと、シンク機器であるディスプレイ装置とを備える音声再生システムが利用されており、ソース機器から出力されるＨＤＭＩデータに映像データ及び音声データを含めることにより、１本のＨＤＭＩケーブルによって映像データ及び音声データの両方をリピーター機器又はシンク機器に送信することができる。ＡＶアンプは、ＤＶＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
ここで、ＤＶＤプレーヤが映像データを含まず音声データのみを含む音楽ＣＤを再生する場合、ＤＶＤプレーヤからＡＶアンプに送信されるＨＤＭＩデータには音声データのみが含まれ映像データは含まれない。ＡＶアンプは、ＨＤＭＩデータから元の音声データを生成しスピーカーに出力する一方で、映像データをディスプレイ装置に送信しない。その結果、ディスプレイ装置には映像が表示されない。このような状況において、節電等を考慮し、ディスプレイ装置の電源を電源オン状態からスタンバイ状態にするためには、ユーザ操作によってスタンバイ状態にする指示をディスプレイ装置に入力する必要があり、その操作が煩雑である。
【０００４】
逆に、ＤＶＤプレーヤが映像データと音声データとを含むＤＶＤビデオディスクを再生する場合、ディスプレイ装置で映像を表示するためディスプレイ装置の電源をスタンバイ状態から電源オン状態に移行させるためには、ユーザ操作によって電源オン状態にする指示をディスプレイ装置に入力する必要があり、その操作が煩雑である。
【０００５】
この問題を解決するために、下記特許文献１は、以下の技術を記載する。映像データの記録されている記録媒体及び映像データの記録されていない記録媒体を含む、複数種類の記録媒体に対応して再生を行なうことができる再生装置において、再生対象となった記録媒体の種別を判別する判別手段と、判別手段による記録媒体の種別判別結果に基づいて、映像表示装置が必要であれば電源オンのコマンド信号を送信し、又は映像表示装置が不要であれば電源オフのコマンド信号を送信することができるコマンド送信手段) を設ける。コマンド送信手段によって例えば赤外線コマンド信号などで再生装置からモニタ装置などの映像表示装置に電源オン／オフのコマンドを送ることで、再生装置からモニタ装置の電源操作を行なうことができる。従って、再生装置は、再生するディスクの種別を判別し、映像データが存在するか否かの判別に応じてモニタ装置の電源操作を行なえば自動的にモニタ装置の電源操作が行なわれることになる。
【０００６】
しかし、モニタ装置に複数の再生装置が接続される複数のコネクタ部と、複数のコネクタ部の中から表示すべき映像データが入力されるコネクタ部を選択するセレクタ回路を備えている場合に、特許文献１には次の問題が生じる。モニタ装置がセレクタ回路によって選択されている第１の再生装置から出力される映像データに基づいて映像を表示している際に、セレクタ回路によって選択されていない第２の再生装置において映像データの記録されていないＣＤが再生されると、第２の再生装置からモニタ装置に電源オフコマンドが送信されてしまう。その結果、ユーザは、第１の再生装置で再生される映像データをモニタ装置で表示して鑑賞しているにもかかわらず、モニタ装置が電源オフ状態にされてしまう。
【０００７】
【特許文献１】特開平８−８７８２３号公報
【発明の開示】
【発明が解決しようとする課題】
【０００８】
本発明は上記従来の課題を解決するためになされたものであり、その目的は、映像データを含まないコンテンツを再生する際にディスプレイ装置を自動的にスタンバイ状態に制御すると、ディスプレイ装置で他の機器からの映像データを表示できなくなるという問題を防止する映像表示システムを提供することである。
【課題を解決するための手段】
【０００９】
本発明の好ましい実施形態による映像表示システムは、コンテンツ送信装置と、前記コンテンツ送信装置から送信される映像データに基づいて映像を表示するディスプレイ装置とを備え、前記コンテンツ送信装置が、映像データを含む第１種別のコンテンツ、又は、映像データを含まない第２種別のコンテンツを処理するコンテンツ処理手段と、前記コンテンツ処理手段が処理するコンテンツが前記第１種別のコンテンツである場合に、前記第１種別のコンテンツに含まれる映像データを前記ディスプレイ装置に送信するコンテンツ送信手段と、前記コンテンツ処理手段が処理するコンテンツが前記第１種別のコンテンツであるか、又は、前記第２種別のコンテンツであるかを判断する種別判断手段と、前記ディスプレイ装置から送信される選択通知信号、又はホットプラグ信号に基づき、前記コンテンツ送信装置の接続されている接続手段が選択されているか否かを判断する選択判断手段と、前記選択判断手段によって前記ディスプレイ装置が前記コンテンツ送信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しないコマンド送信手段とを有し、前記ディスプレイ装置が、前記コンテンツ送信手段から受信した映像データに基づいて映像を表示する表示手段と、前記コマンド送信手段から前記電源オフコマンド又は前記電源オンコマンドを受信するコマンド受信手段と、前記コマンド受信手段が前記電源オフコマンドを受信した場合にスタンバイ状態に移行し、前記コマンド受信手段が前記電源オンコマンドを受信した場合に電源オン状態に移行する電源制御手段と、前記コンテンツ送信装置を含む複数の機器が接続される複数の接続手段と、前記複数の接続手段の中から、前記表示手段が表示する映像データが入力される接続手段を選択する選択手段とを有する。
【００１０】
ディスプレイ装置の選択手段がコンテンツ送信装置の接続されている接続手段以外を選択しており、コンテンツ送信装置以外の機器からの映像データを表示している際には、コンテンツ送信装置が電源オフコマンドをディスプレイ装置に送信しないので、ディスプレイ装置をスタンバイ状態にしてしまうことを防止することができる。ディスプレイ装置の選択手段がコンテンツ送信装置の接続されている接続手段以外を選択しており、ディスプレイ装置が、スタンバイ状態になっている際に、コンテンツ送信装置は電源オンコマンドをディスプレイ装置に送信しないので、ディスプレイ装置を電源オン状態にしてしまうことを防止することができる。
【００１１】
ディスプレイ装置の選択手段がコンテンツ送信装置の接続されている接続手段を選択しており、コンテンツ処理手段が処理するコンテンツの種別が第２種別である際には、コンテンツ送信装置が電源オフコマンドをディスプレイ装置に送信するので、ディスプレイ装置をスタンバイ状態にすることができる。ディスプレイ装置の選択手段がコンテンツ送信装置の接続されている接続手段を選択しており、コンテンツ処理手段が処理するコンテンツの種別が第１種別である際には、コンテンツ送信装置が電源オンコマンドをディスプレイ装置に送信するので、ディスプレイ装置を電源オン状態にすることができる。
【００１２】
本発明の別の好ましい実施形態による映像表示システムは、コンテンツ再生装置と、コンテンツ送受信装置と、前記コンテンツ送受信装置から送信される映像データに基づいて映像を表示するディスプレイ装置とを備え、前記コンテンツ再生装置が、映像データを含む第１種別のコンテンツ、又は、映像データを含まない第２種別のコンテンツを再生するコンテンツ再生手段と、前記コンテンツ再生手段によって再生されたコンテンツを前記コンテンツ送受信装置に送信する第１コンテンツ送信手段と、前記コンテンツ再生手段によって再生されるコンテンツが前記第１種別のコンテンツであるか、又は、前記第２種別のコンテンツであるかを示す種別通知コマンドを前記コンテンツ送受信装置に送信する第１コマンド送信手段とを有し、前記コンテンツ送受信装置が、前記第１コンテンツ送信手段から送信されたコンテンツを受信する第１コンテンツ受信手段と、前記第１コマンド送信手段から送信された前記種別通知コマンドを受信する第１コマンド受信手段と、前記第１コンテンツ受信手段が受信する前記第１種別のコンテンツに含まれる映像データを前記ディスプレイ装置に送信する第２コンテンツ送信手段と、前記第１コマンド受信手段が受信した種別通知コマンドの通知内容が前記第１種別のコンテンツであることを示すか、又は、前記第２種別のコンテンツであることを示すかを判断する種別判断手段と、前記ディスプレイ装置から送信される選択通知信号、又はホットプラグ信号に基づき、前記コンテンツ送受信装置の接続されている接続手段が選択されているか否かを判断する選択判断手段と、前記選択判断手段によって前記ディスプレイ装置が前記コンテンツ送受信装置の接続されている接続手段を選択していると判断され、かつ、前記種別判断手段によってコンテンツが前記第２種別のコンンテンツであると判断された場合、電源オフコマンドを前記ディスプレイ装置に送信し、前記選択判断手段によって前記ディスプレイ装置が前記コンテンツ送受信装置の接続されている接続手段を選択していると判断され、かつ、前記種別判断手段によってコンテンツが前記第１種別のコンンテンツであると判断された場合、電源オンコマンドを前記ディスプレイ装置に送信し、前記選択判断手段によって前記ディスプレイ装置が前記コンテンツ送受信装置の接続されている接続手段を選択していないと判断された場合、コンテンツが前記第１種別であるか前記第２種別であるかによらずに電源オンコマンド及び電源オフコマンドのいずれも前記ディスプレイ装置に送信しない第２コマンド送信手段とを有し、前記ディスプレイ装置が、前記第２コンテンツ送信手段から受信した映像データに基づいて映像を表示する表示手段と、前記第２コマンド送信手段から前記電源オフコマンド又は前記電源オンコマンドを受信する第２コマンド受信手段と、前記第２コマンド受信手段が前記電源オフコマンドを受信した場合にスタンバイ状態に移行し、前記第２コマンド受信手段が前記電源オンコマンドを受信した場合に電源オン状態に移行する電源制御手段と、前記コンテンツ送受信装置を含む複数の機器が接続される複数の接続手段と、前記複数の接続手段の中から、前記表示手段が表示する映像データが入力される接続手段を選択する選択手段とを有する。
【００１３】
好ましい実施形態においては、前記第１コマンド送信手段が、前記コンテンツ再生手段によって再生されるコンテンツの種別が前記第１種別と前記第２種別との間で変更になったときに前記種別通知コマンドを前記コンテンツ送受信装置に送信する。
【００１４】
この場合、不要な種別通知コマンドがディスプレイ装置に送信されることを防止することができる。
【００１５】
好ましい実施形態においては、前記ディスプレイ装置が、前記選択手段が選択する接続手段に接続されている機器に対して第１レベルのホットプラグ信号を出力し、前記選択手段が選択していない接続手段に接続されている機器に対して第２レベルのホットプラグ信号を出力するホットプラグ信号出力手段をさらに有する。前記選択判断手段が、前記ホットプラグ信号出力手段から出力されるホットプラグ信号が前記第１レベルであるか、又は、前記第２レベルであるかを判断することによって、前記選択手段によって自身の接続されている接続手段が選択されているか否かを判断する。
【００１６】
この場合、ホットプラグ信号が第１レベルであるか否かを判断するだけで、非常に簡単な処理で、選択手段によって自身の接続されている接続手段が選択されているか否かを判断することができる。
【発明の効果】
【００１７】
ディスプレイ装置の選択手段がコンテンツ送信装置の接続されている接続手段以外を選択しており、コンテンツ送信装置以外の機器からの映像データを表示している際には、コンテンツ送信装置が電源オフコマンドをディスプレイ装置に送信しないので、ディスプレイ装置をスタンバイ状態にしてしまうことを防止することができる。
【発明を実施するための最良の形態】
【００１８】
以下、本発明の好ましい実施形態によるＤＶＤプレーヤ（コンテンツ再生装置又はコンテンツ送信装置）、ＡＶアンプ（コンテンツ送受信装置又はコンテンツ送信装置）およびディスプレイ装置を備える映像表示システムついて、図面を参照して具体的に説明するが、本発明はこれらの実施形態には限定されない。
【００１９】
本例において、コンテンツは、映像（画像も含む、以下同様。）データを含む第１種別のコンテンツと、映像データを含まない第２種別のコンテンツとに大別される。第１種別のコンテンツとしては、ＤＶＤビデオディスク、ブルーレイディスク等の映像ディスクに記録されたコンテンツの他に、ＨＤＤ（ハードディスクドライブ）に記録された映像データや、デジタルＴＶ放送データ（地上デジタル、ＢＳデジタル等）、ネットワーク経由でストリーミング形式で取得した映像データ等が挙げられる。また、第２種別のコンテンツとしては、音楽ＣＤ、ＭＤ等の音楽ディスクに記録されたコンテンツの他に、ＨＤＤに記録された音楽データ、デジタルラジオ放送データ、ネットワーク経由でストーリミング形式で取得する音声データ等が挙げられる。以下においては、第１種別のコンテンツがＤＶＤビデオディスク（以下、単にＤＶＤという。）であり、第２種別のコンテンツが音楽ＣＤ（以下、単にＣＤという。）である場合を例に説明するが、他の場合も同様である。
【００２０】
図１Ａは、ＤＶＤプレーヤ１０およびＡＶアンプ２０の構成を、図１Ｂは、ＡＶアンプ２０（図１Ａと同一）およびディスプレイ装置３０の構成をそれぞれ示す要部ブロック図である。ＤＶＤプレーヤ１０、ＡＶアンプ２０およびディスプレイ装置３０は、例えばＨＤＭＩ規格に準拠しており、ＨＤＭＩケーブルを介して相互に接続されている。
【００２１】
［ＤＶＤプレーヤ１０の構成］
図１Ａを参照し、ＤＶＤプレーヤ１０について説明する。ＤＶＤプレーヤ１０は、再生部１１と、解像度変換部１２、ＨＤＭＩ送信部１３と、システム制御部１４と、操作表示部１５と、メモリ１６と、コネクタ部１７とを有している。
【００２２】
再生部１１は、ＤＶＤが挿入された時、ＤＶＤに記録されている映像データを読み出して、デコードし、解像度変換部１２に供給する。また、再生部１１は、ＤＶＤに記録されている音声データを読み出して、デコードし、ＨＤＭＩ送信部１３に供給する。一方、再生部１１は、ＣＤが挿入された時、ＣＤに記録されている音声データを読み出して、デコードし、ＨＤＭＩ送信部１３に供給する。再生部１１は、図示しない光ピックアップ、サーボ回路、ＭＰＥＧデコーダ等を含む。
【００２３】
解像度変換部１２は、再生部１１から供給された映像データの解像度を判別する。また、解像度変換部１２は、判別した映像データの解像度を、システム制御部１４からのコマンドにより、ユーザによって設定された解像度に変換する。解像度変換部１２によって解像度が変換された映像データは、ＨＤＭＩ送信部１３に供給される。
【００２４】
ＨＤＭＩ送信部１３は、解像度変換部１２から供給された映像データ、および／または、再生部１１から供給された音声データを、システム制御部１４からのコマンドにより、ＨＤＭＩ規格のデータ（以下、ＨＤＭＩデータ）に変換する。ＨＤＭＩ送信部１３は、ＨＤＭＩデータを、コネクタ部１７を介してＡＶアンプ２０に送信する。従って、ＨＤＭＩ送信部１３から送信されるＨＤＭＩデータには、再生部１１でＤＶＤが再生される場合には映像データ及び音声データが含まれ、ＣＤが再生される場合には映像データが含まれず、音声データのみが含まれている。なお、ＨＤＭＩデータに映像データが含まれないとは、ＨＤＭＩデータの映像データの領域に無信号を含むことを意味する。
【００２５】
ＨＤＭＩ送信部１３は、ＨＤＭＩデータを送受信するＴＭＤＳライン（通常は複数存在するが図１、図２では簡単のため１本のラインのみを記載している）、および、ホットプラグラインを介して、ＡＶレシーバ２０のＨＤＭＩ受信部２１に接続される。また、ＨＤＭＩ送信部１３は、ＥＤＩＤを読み出すためのＤＤＣラインを介してＡＶアンプ２０のＨＤＭＩ受信部２１、ＰＲＯＭ２５に接続されている。
【００２６】
システム制御部１４は、内蔵又は接続されたメモリに格納されているＤＶＤプレーヤの動作プログラムに基づいて、再生部１１、解像度変換部１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２７】
システム制御部１４は、ＣＥＣラインを介してＡＶアンプ２０のシステム制御部２３に接続され、システム制御部２３とコマンドおよび／またはデータを送受信する。
【００２８】
システム制御部１４は、再生部１４で再生されるコンテンツの種別（第１種別、又は、第２種別）を周知の技術によって判別し、ＣＥＣラインを介して、再生するコンテンツが第１種別のコンテンツであるか、又は、第２種別のコンテンツであるかを示す種別通知コマンドをＡＶアンプのシステム制御部２３に送信する。詳細には、システム制御部１４は、例えば再生部１１で再生されるディスクがＣＤからＤＶＤに変更されたことを判断したとき、コンテンツの種別がＤＶＤであることをシステム制御部２３に通知する。一方、システム制御部１４は、再生部１１で再生されるディスクがＤＶＤからＣＤに変更されたことを判断したとき、コンテンツの種別がＣＤであることをシステム制御部２３に通知する。なお、ＡＶアンプのシステム制御部２３に最後に通知したコンテンツの種別を図示しないメモリに記憶しておくことにより、コンテンツの種別が変更になったか否かを判断することができる。
【００２９】
また、システム制御部１４は、ＤＤＣラインを介して、ＡＶアンプ２０のＰＲＯＭ２５に接続され、ＰＲＯＭ２５に記憶されたＥＤＩＤを読み出す。
【００３０】
［ＡＶアンプの構成］
次に、図１Ａ又は図１Ｂを参照し、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、コネクタ部２７、２８とを有している。
【００３１】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。なお、再生部１１でＣＤが再生される場合には、ＨＤＭＩデータに映像データが含まれないので、ＨＤＭＩデータから元の音声データが生成され音声処理部２６に供給されるが、映像データはＨＤＭＩ送信部２２に供給されない。
【００３２】
ＨＤＭＩ送信部２２は、ＨＤＭＩ受信部２１から供給された映像データ、および、必要に応じて音声処理部２６から供給された音声データを、ＨＤＭＩデータに変換する。ＨＤＭＩ送信部２２は、コネクタ部２８を介してディスプレイ装置３０にＨＤＭＩデータを送信する。なお、再生部１１でＣＤが再生される場合には、ＨＤＭＩ受信部２１から映像データが供給されないので、ＨＤＭＩ送信部２２は、音声処理部２６から供給された音声データのみを含むＨＤＭＩデータをディスプレイ装置３０に送信する、もしくは、ＨＤＭＩデータをディスプレイ装置３０に送信しない。
【００３３】
ＨＤＭＩ送信部２２は、ＴＭＤＳラインおよびホットプラグラインを介して、ディスプレイ装置３０のＨＤＭＩ受信部３１に接続されている。また、ＨＤＭＩ送信部２２は、ＤＤＣラインを介してディスプレイ装置３０のＰＲＯＭ３４及びＨＤＭＩ受信部３１に接続されている。
【００３４】
ホットプラグラインは、ディスプレイ装置３０がＡＶアンプ２０に接続されていることを、ディスプレイ装置３０からＡＶアンプ２０に通知するためのホットプラグ信号を出力するラインである。ＡＶアンプ２０は、ディスプレイ装置３０から出力されるホットプラグ信号がローレベルであれば、ディスプレイ装置３０がアクティブ（ＨＤＭＩデータを受信して処理できる状態）でない、又は、ディスプレイ装置３０が接続されていないと判断し、ホットプラグ信号がハイレベルであれば、ＡＶアンプ１０が接続されていると判断する。
【００３５】
また、ディスプレイ装置３０は、後述するように複数のコネクタ部のうちセレクタ回路４０によって選択されているコネクタ部に接続されている機器に対してのみハイレベルのホットプラグ信号を出力し、選択されていないコネクタ部に接続されている機器に対してはローベルのホットプラグ信号を出力する。従って、システム制御部２３は、ディスプレイ装置３０から出力されるホットプラグ信号がハイレベルであるか否かを確認することにより、ディスプレイ装置３０のセレクタ回路４０がＡＶアンプ２０の接続されているコネクタ部を選択しているか否かを判断できる。
【００３６】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００３７】
システム制御部２３は、内蔵又は接続されたメモリに記憶されているＡＶアンプの動作プログラムに基づいて、ＨＤＭＩ受信部２１、ＨＤＭＩ送信部２２、操作表示部２４、ＰＲＯＭ２５、音声処理部２６等を制御するものであり、例えば、マイクロコンピュータやＣＰＵ等である。システム制御部２３は、操作表示部２４からの操作入力または各部からの制御信号およびデータに基づいて各種処理を実行する。
【００３８】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００３９】
システム制御部２３は、ＤＶＤプレーヤ１０の再生部１１で再生されるコンテンツの種別、及び、ディスプレイ装置３０の後述するセレクタ回路４０がＡＶアンプ２０の接続されているコネクタ部３８を選択しているか否かに基づいて、ＣＥＣラインを介して電源オンコマンド又は電源オフコマンドをディスプレイ装置３０のシステム制御部３３に送信する。
【００４０】
具体的には、ディスプレイ装置３０の後述するセレクタ回路４０がＡＶアンプ２０の接続されているコネクタ部３８を選択しており、かつ、ＤＶＤプレーヤ１０のシステム制御部１４からＣＥＣラインを介してコンテンツ種別がＤＶＤである旨の種別通知コマンドを受信すると、システム制御部２３は、ＣＥＣラインを介してディスプレイ装置３０のシステム制御部３３に電源オンコマンドを送信する。ディスプレイ装置３０を電源オン状態に制御して、映像データをディスプレイ装置３０で表示するためである。
【００４１】
一方、ディスプレイ装置３０のセレクタ回路４０がＡＶアンプ２０の接続されているコネクタ部３８を選択しており、ＤＶＤプレーヤ１０のシステム制御部１４からＣＥＣラインを介してコンテンツ種別がＣＤである旨の種別通知コマンドを受信すると、システム制御部２３は、ＣＥＣラインを介してディスプレイ装置３０のシステム制御部３３に電源オフコマンドを送信する。ディスプレイ装置３０をスタンバイ状態に制御して、節電を図るためである。
【００４２】
また、ディスプレイ装置３０のセレクタ回路４０がＡＶアンプ２０の接続されているコネクタ部３８を選択していない場合には、種別通知コマンドがＤＶＤ、ＣＤであるかにかかわらず、システム制御部２３は、ＣＥＣラインを介してディスプレイ装置３０のシステム制御部３３に電源オフコマンドも電源オンコマンドも送信しない。これにより、ディスプレイ装置３０のセレクタ回路４０がＡＶアンプ２０の接続されているコネクタ部３８以外を選択しており、ＡＶアンプ２０以外の機器からの映像データを表示している際に、ディスプレイ装置３０をスタンバイ状態にしてしまうことを防止することができる。同様に、ディスプレイ装置３０のセレクタ回路４０がＡＶアンプ２０の接続されているコネクタ部３８以外を選択しており、スタンバイ状態になっている際に、ディスプレイ装置３０を電源オン状態にしてしまうことを防止することができる。
【００４３】
なお、上記の通り、システム制御部２３は、ディスプレイ装置３０の後述するセレクタ回路４０がＡＶアンプ２０の接続されているＨＤＭＩ入力端子を選択しているか否かを例えばホットプラグがハイレベルか否かを判断することによって判断することができる。
【００４４】
［ディスプレイ装置３０の構成］
次に、図１Ｂを参照し、ディスプレイ装置３０について説明する。ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７と、コネクタ部３８とを有する。なお、コネクタ部は、詳細を図２に示すように、複数のコネクタ部３８，３８ｂ，３８ｃを含み、複数機器が接続可能になっている。
【００４５】
ＨＤＭＩ受信部３１は、ＡＶアンプ２０のＨＤＭＩ送信部２２から送信されたＨＤＭＩデータを受信して、ＨＤＭＩデータから元の映像データを生成し、表示部３２に供給する。また、ＨＤＭＩ受信部３１は、ＨＤＭＩデータから元の音声データを生成して、音声処理部３６に供給する。なお、再生部１１で再生されるディスクがＣＤである場合、映像データを含むＨＤＭＩデータが送信されないので、映像データは表示部３２に供給されない。
【００４６】
表示部３２は、ＨＤＭＩ受信部３１から映像データが供給され、当該映像データに基づいて映像を表示するものであり、例えば、ＬＣＤまたはＣＲＴ等である。
【００４７】
音声処理部３６は、ＨＤＭＩ受信部３１から供給された音声データを、信号処理、増幅処理、Ｄ／Ａ変換等の処理を実行し、スピーカー３７に供給する。
【００４８】
システム制御部３３は、内蔵又は接続されたメモリに格納されたディスプレイ装置の動作プログラムに基づいて、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００４９】
システム制御部３３は、ＣＥＣラインを介してＡＶアンプ２０のシステム制御部２３から電源オンコマンドを受信すると、スタンバイ状態であれば、スタンバイ状態から電源オン状態に移行させる。また、システム制御部３３は、ＣＥＣラインを介してＡＶアンプ２０のシステム制御部２３から電源オフコマンドを受信すると、電源オン状態であれば、電源オン状態からスタンバイ状態に移行させる。ここで、図示しないが、ディスプレイ装置３０は、ディスプレイ装置全体に電源電圧を供給する主電源回路と、システム制御部２３及びその周辺回路のみに電源電圧を供給するスタンバイ電源回路とを備えており、電源オン状態においては主電源回路及びスタンバイ電源回路が共にオン状態にされ、スタンバイ状態においては主電源回路がオフ状態、スタンバイ電源回路がオン状態にされている。従って、電源オン状態では、表示部３２による映像データの表示、ＨＤＭＩ受信部３１によるＨＤＭＩデータ受信、システム制御部３３によるＣＥＣラインを介したコマンドの送受信等のディスプレイ装置としての機能を全て実行することができる。一方、スタンバイ状態では、表示部３２による映像データの表示はできないが、システム制御部３３に電源電圧が供給されているので、システム制御部３３によるＣＥＣラインを介したコマンドの送受信は実行可能である。
【００５０】
ここで、図２を参照して、ディスプレイ装置３０が備えるセレクタ回路４０について説明する。図１Ｂでは図を簡略化するため１つのコネクタ部３８しか記載していないが、図２に示すように実際には複数のコネクタ部３８，３８ｂ，３８ｃが設けられている。例えば、コネクタ部３８にはＨＤＭＩケーブルを介してＡＶアンプ２０が、コネクタ部３８ｂにはＨＤＭＩケーブルを介してゲーム機５０が、コネクタ部３８ｃにはＨＤＭＩケーブルを介してセットトップボックス６０がそれぞれ接続されている。セレクタ回路４０は、コネクタ部３８，３８ｂ，３８ｃに接続された各機器（ＡＶアンプ２０、ゲーム機５０、セットトップボックス６０）から供給されるＨＤＭＩデータの中から映像表示すべきＨＤＭＩデータを一つ選択する。つまり、セレクタ回路４０は、ＡＶアンプ２０、ゲーム機５０、セットトップボックス６０が接続されたコネクタ部３８，３８ｂ，３８ｃから１つのコネクタ部を選択し、表示部３２で表示するコンテンツを再生する機器をＡＶアンプ２０、ゲーム機５０、セットトップボックス６０の中から選択する。なお、セレクタ回路４０の機能はＨＤＭＩ受信部３１に含まれていてもよい。
【００５１】
ディスプレイ装置３０は、上記の通り、セレクタ回路４０が選択したコネクタ部に接続されている機器に対してはハイレベルのホットプラグ信号を出力し、セレクタ回路４０が選択しないコネクタ部に接続されている機器に対してはローレベルのホットプラグ信号を出力する。または、システム制御部３３が、セレクタ回路４０が選択したコネクタ部に接続されている機器のシステム制御部に対してセレクタ選択通知を送信し、セレクタ回路４０が選択しないコネクタ部に接続されている機器のシステム制御部に対してセレクタ解除通知を送信してもよい。
【００５２】
［動作］
以下、本発明の動作を図３〜図５を参照して、説明する。
［ＤＶＤプレーヤ１０の動作］
図３は、ＤＶＤプレーヤ１０のシステム制御部１４の処理を示すフローチャートである。システム制御部１４は、再生部１１で再生されるコンテンツの種別が変更されるか否かを判断する（Ｓ１）。詳細には、直近にＡＶアンプ２０のシステム制御部２３に通知したコンテンツ種別（ＣＤ又はＤＶＤ）を図示しないメモリにＳ５において記憶しているので、現在再生しているコンテンツ種別とメモリに記憶しているコンテンツ種別とを対比することによって、再生部１１で再生されるコンテンツ種別がＣＤからＤＶＤに変更されたか、又は、ＤＶＤからＣＤに変更されたか否かを判断できる。
【００５３】
再生部１１で再生するコンテンツ種別が変更された場合（Ｓ１でＹＥＳ）、システム制御部１４は、ＡＶアンプ２０のシステム制御部２３との間でＣＥＣラインを介して通信するように、事前にユーザ操作によって設定されているか否かを判断する（Ｓ２）。
【００５４】
ＡＶアンプ２０のシステム制御部２３との間でＣＥＣラインを介して通信するように設定されていない場合（Ｓ２でＮＯ）、処理を終了する。一方、ＡＶアンプ２０のシステム制御部２３との間でＣＥＣラインを介して通信するように設定されている場合（Ｓ２でＹＥＳ）、システム制御部１４は、ＡＶアンプ２０のシステム制御部２３に種別通知コマンドをＣＥＣラインを介して送信する（Ｓ３）。詳細には、再生部１１で再生するコンテンツ種別がＣＤからＤＶＤに変更された場合にはコンテンツ種別がＤＶＤである旨の種別通知コマンドが送信され、再生部１１で再生するコンテンツ種別がＤＶＤからＣＤに変更された場合にはコンテンツ種別がＣＤである旨の種別通知コマンドが送信される。
【００５５】
続いて、システム制御部１４は、ＡＶアンプ２０のシステム制御部２３から種別通知コマンドを受信したことを示すＡＣＫコマンドを受信したか否かを監視しており（Ｓ４）、所定時間以内にＡＣＫコマンドを受信した場合に（Ｓ４でＹＥＳ）、ＡＶアンプ２０に通知したコンテンツ種別をメモリに保存する（Ｓ５）。一方、所定時間以内にＡＣＫコマンドを受信しない場合に（Ｓ４でＮＯ）、ＡＶアンプ２０に通知したコンテンツ種別をメモリに保存せずに処理を終了する。
【００５６】
［ＡＶアンプ２０の動作］
図４は、ＡＶアンプ２０のシステム制御部２３の処理を示すフローチャートである。システム制御部２３は、ディスプレイ装置３０のセレクタ回路４０がＡＶアンプ２０の接続されているコネクタ部３８を選択しているか否かを判断する（Ｓ１１）。例えば、ディスプレイ装置３０から出力されるホットプラグ信号がハイレベルであるか否かを判断する。
【００５７】
セレクタ回路４０がＡＶアンプ２０の接続されているコネクタ部３８を選択していない場合（Ｓ１１でＮＯ）、処理を終了するが、セレクタ回路４０がＡＶアンプ２０の接続されているコネクタ部３８を選択している場合（Ｓ１１でＹＥＳ）、システム制御部２３は、ディスプレイ装置３０のシステム制御部３３及びＤＶＤプレーヤ１０のシステム制御部１４との間でＣＥＣラインを介して通信するように、事前にユーザ操作によって設定されているか否かを判断する（Ｓ１２）。
【００５８】
ディスプレイ装置３０のシステム制御部３３及びＤＶＤプレーヤ１０のシステム制御部１４との間でＣＥＣラインを介して通信するように設定されていない場合（Ｓ１２でＮＯ）、処理を終了する。一方、ディスプレイ装置３０のシステム制御部３３及びＤＶＤプレーヤ１０のシステム制御部１４との間でＣＥＣラインを介して通信するように設定されている場合（Ｓ１２でＹＥＳ）、システム制御部２３は、ＤＶＤプレーヤ１０のシステム制御部１４から種別通知コマンドを受信したか否かを判断する（Ｓ１３）。種別通知コマンドを受信した場合（Ｓ１３でＹＥＳ）、システム制御部２３は、ＣＥＣラインを介してＤＶＤプレーヤ１０のシステム制御部１４に種別通知コマンドを受信した旨を示すＡＣＫコマンドを送信する。
【００５９】
続いて、システム制御部２３は、受信した種別通知コマンドに含まれる種別が映像データを含む第１種別であるか否かを判断する（Ｓ１４）。すなわち、再生部１１で再生されるコンテンツ種別がＤＶＤであるか否かが判断される。コンテンツ種別がＤＶＤであれば（Ｓ１４でＹＥＳ）、システム制御部２３は、ディスプレイ装置３０がスタンバイ状態であるか否かを判断する（Ｓ１５）。ディスプレイ装置３０が電源オン状態であるか、スタンバイ状態であるかは例えばＣＥＣラインを介してディスプレイ装置３０から通知され、メモリ内に記憶されている。ディスプレイ装置３０が電源オン状態であれば（Ｓ１５でＮＯ）、ディスプレイ装置３０に電源オンコマンドを送信する必要がないので処理を終了する。一方、ディスプレイ装置３０がスタンバイ状態であれば（Ｓ１５でＹＥＳ）、システム制御部２３はディスプレイ装置３０のシステム制御部３３に電源オンコマンドを、ＣＥＣラインを介して送信する（Ｓ１６）。なお、Ｓ１５の判断処理を省略してＳ１４でＹＥＳと判断された場合には、常に電源オンコマンドを送信するようにしてもよいが、Ｓ１５の判断処理を実行することにより、無駄なコマンドの送受信が防止される。
【００６０】
Ｓ１４において、コンテンツ種別がＣＤであれば（Ｓ１４でＮＯ）、システム制御部２３は、ディスプレイ装置３０が電源オン状態であるか否かを判断する（Ｓ１７）。ディスプレイ装置３０がスタンバイ状態であれば（Ｓ１７でＮＯ）、ディスプレイ装置３０に電源オフコマンドを送信する必要がないので処理を終了する。一方、ディスプレイ装置３０が電源オン状態であれば（Ｓ１７でＹＥＳ）、システム制御部２３はディスプレイ装置３０のシステム制御部３３に電源オフコマンドを、ＣＥＣラインを介して送信する（Ｓ１８）。なお、Ｓ１７の判断処理を省略してＳ１４でＮＯと判断された場合には、常に電源オフンコマンドを送信するようにしてもよい。
【００６１】
［ディスプレイ装置３０の動作］
図５は、ディスプレイ装置３０のシステム制御部３３の処理を示すフローチャートである。システム制御部３３はＡＶアンプ２０のシステム制御部２３からＣＥＣラインを介して電源オンコマンド又は電源オフコマンドを受信したか否かを判断する（Ｓ２１）。電源オンコマンド又は電源オフコマンドを受信した場合（Ｓ２１でＹＥＳ）、システム制御部３３は、ＡＶアンプ２０のシステム制御部２３との間でＣＥＣラインを介して通信するように、事前にユーザ操作によって設定されているか否かを判断する（Ｓ２２）。
【００６２】
ＡＶアンプ２０のシステム制御部２３との間でＣＥＣラインを介して通信するように設定されていない場合には（Ｓ２２でＮＯ）、処理を終了する。一方、ＡＶアンプ２０のシステム制御部２３との間でＣＥＣラインを介して通信するように設定されている場合（Ｓ２２でＹＥＳ）システム制御部２３は、受信したコマンドが電源オンコマンドであるか否かを判断する（Ｓ２３）。
【００６３】
受信したコマンドが電源オンコマンドである場合（Ｓ２３でＹＥＳ）、システム制御部３３は、ディスプレイ装置３０が電源オン状態であるか否かを判断する（Ｓ２４）。既にディスプレイ装置３０が電源オン状態である場合には（Ｓ２４でＹＥＳ）、処理を終了するが、ディスプレイ装置がスタンバイ状態である場合には（Ｓ２４でＮＯ）、システム制御部３３は主電源回路をオン状態になるように制御し、ディスプレイ装置３０をスタンバイ状態から電源オン状態に制御する。従って、再生部１１で映像データを含むコンテツが再生されるときには、ディスプレイ装置３０が自動的に電源オン状態になる。
【００６４】
一方、受信したコマンドが電源オフコマンドである場合（Ｓ２３でＮＯ）、システム制御部３３は、ディスプレイ装置３０がスタンバイ状態であるか否かを判断する（Ｓ２６）。既にディスプレイ装置３０がスタンバイ状態である場合には（Ｓ２６でＹＥＳ）、処理を終了するが、ディスプレイ装置３０が電源オン状態である場合には（Ｓ２６でＮＯ）、システム制御部３３は主電源回路をオフ状態になるように制御し、ディスプレイ装置３０を電源オン状態からスタンバイ状態に制御する。従って、再生部１１で映像データを含まないコンテツが再生されるときには、ディスプレイ装置３０が自動的にスタンバイ状態になる。
【００６５】
以上のように、ディスプレイ装置３０のセレクタ回路４０がＡＶアンプ２０の接続されているコネクタ部３８以外を選択しており、ＡＶアンプ２０以外の機器からの映像データを表示している際には、ＡＶアンプ２０が電源オフコマンドを送信しないので、ディスプレイ装置３０をスタンバイ状態にしてしまうことを防止することができる。ディスプレイ装置３０のセレクタ回路４０がＡＶアンプ２０の接続されているコネクタ部３８以外を選択しており、スタンバイ状態になっている際に、ＡＶアンプは電源オンコマンドを送信しないので、ディスプレイ装置３０を電源オン状態にしてしまうことを防止することができる。
【００６６】
以上、本発明の好ましい実施形態を説明したが、本発明はこれらの実施形態には限定されない。ＡＶアンプ２０が、ディスプレイ装置３０のセレクタ回路４０がＡＶアンプ２０の接続されているコネクタ部３８を選択しているか否かを判断する方法は上記に限定されず、例えば、ディスプレイ装置３０からＡＶアンプ２０に通信ラインを送信されるセレクタ回路４０の選択情報に基づいて、判断してもよい。上記コマンドは、ＣＥＣラインを介して行われるのではなく、他の通信ラインやＩＥＥＥ１３９４やＵＳＢ等を介して行われてもよい。また、ＤＶＤプレーヤ１０とＡＶアンプ２０とが一体となった機器が採用されてもよく、この機器をコンテンツ送信装置と定義する。また、ＤＶＤプレーヤ１０が直接ディスプレイ装置３０に接続されてもよく、この場合のＤＶＤプレーヤ１０もコンテンツ送信装置と定義する。また、ＤＶＤプレーヤ１０における再生部１１の再生処理、ＡＶアンプ２０のＨＤＭＩ受信部２１やＨＤＭＩ送信部２２の各処理を総称して「コンテンツを処理する」と定義する。また、ＤＶＤプレーヤ、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００６７】
本発明は、ＤＶＤプレーヤ、ＡＶアンプおよびディスプレイ装置等に好適に採用され得る。
【図面の簡単な説明】
【００６８】
【図１Ａ】本発明の好ましい実施形態によるＤＶＤプレーヤ１０およびＡＶアンプ２０の構成を示すブロック図である。
【図１Ｂ】本発明の好ましい実施形態によるＡＶアンプ２０およびディスプレイ装置の構成を示すブロック図である。
【図２】セレクタ回路４０を説明する概略ブロック図である。
【図３】ＤＶＤプレーヤ１０の動作を説明するフローチャートである。
【図４】ＡＶアンプ２０の動作を説明するフローチャートである。
【図５】ディスプレイ装置３０の動作を説明するフローチャートである。
【符号の説明】
【００６９】
１０            ＤＶＤプレーヤ
２０            ＡＶアンプ
３０            ディスプレイ装置
【図１Ａ】
0005200630.tif 000002
【図１Ｂ】
0005200630.tif 000003
【図２】
0005200630.tif 000004
【図３】
0005200630.tif 000005
【図４】
0005200630.tif 000006
【図５】
0005200630.tif 000007